(57)【特許請求の範囲】
【請求項１】
上位側電話装置と、
前記上位側電話装置に上位下位間接続線を介して接続する下位側電話装置とを具え、
前記上位側電話装置は、
上位側電話機群と、
上位側システム制御装置と、
前記上位側システム制御装置に接続する加入者番号課金テーブルと、
前記上位側システム制御装置に接続する短縮ダイヤル番号テーブルとを備え、
前記加入者番号課金テーブルは、
加入者番号と課金データの対応を有し、
前記短縮ダイヤル番号テーブルは、前記加入者番号に対応する前記短縮ダイヤル番号を有し、
前記下位側電話装置は、
下位側電話機群を備え、
前記上位側システム制御装置は、前記下位側電話機群により発信操作が行われる際に、前記下位側電話装置から送信されてくる前記短縮ダイヤル番号に対応する前記加入者番号の課金データを前記加入者番号課金テーブルに基づいて前記下位側電話機群に送信する
短縮ダイヤルの課金システム。
【請求項２】
前記上位側電話装置は、
前記下位側電話装置を制御する下位回線制御ユニットを更に備え、
前記下位側電話装置は、
前記下位回線制御ユニットに接続する下位側外線制御ユニットを更に備え、
前記下位回線制御ユニットは、
前記上位側システム制御装置に接続する給電／ダイヤル検出ユニットと、
前記上位側システム制御装置に接続する番号通知ユニットとを具え、
前記下位側外線制御ユニットは、
前記給電／ダイヤル検出ユニットに前記上位下位間接続線を介して接続する回線捕捉／ダイヤル送出ユニットと、
前記回線捕捉／ダイヤル送出ユニットに接続する番号通知検出ユニットとを具え、
前記回線捕捉／ダイヤル送出ユニットは、発呼時に、前記短縮ダイヤル番号信号を前記給電／ダイヤル検出ユニットに送出し、前記短縮ダイヤル番号信号を前記下位回線制御ユニットを介して前記上位側システム制御装置に送出し、
前記上位側システム制御装置は、前記短縮ダイヤル番号信号に対応する前記加入者番号に対応させて前記課金データを前記給電／ダイヤル検出ユニットと前記回線捕捉／ダイヤル送出ユニットを介して前記番号通知検出ユニットに送信する
請求項１の短縮ダイヤルの課金システム。
【請求項３】
前記下位側電話装置は、前記下位側外線制御ユニットと前記下位側電話機群との間に介設される下位側システム制御装置を更に備え、
前記下位回線制御ユニットは上位側通話路を更に具え、
前記下位側外線制御ユニットは下位側通話路を更に具え、
通話は、前記上位側システム制御装置と前記下位側システム制御装置との間で、前記上位側通話路と前記給電／ダイヤル検出ユニットと前記上位下位間接続線と前記回線捕捉／ダイヤル送出ユニットと前記下位側通話路とを介して実行される
請求項２の短縮ダイヤルの課金システム。
【請求項４】
前記下位側電話装置は、
下位側システム制御装置に接続する料金蓄積ユニットと、
上位装置短縮ダイヤル番号テーブルとを更に具え、
前記料金蓄積ユニットは、前記短縮ダイヤル番号に対応する前記課金データを蓄積する
請求項２の短縮ダイヤルの課金システム。
【請求項５】
前記上位側電話装置と前記下位側電話装置との間の通信は、前記上位側電話装置と前記下位側電話装置との間の接続線の極性の切換により実行される
請求項１乃至４のいずれか一項に記載の短縮ダイヤルの課金システム。
【発明の詳細な説明】
【０００１】
【発明の属する技術分野】
本発明は、短縮ダイヤルの課金システム、及び、その課金方法に関し、特に、下位装置から上位装置用の短縮ダイヤルを用いてダイヤル発信する際に、課金データを上位装置から下位装置の電話機に通信して通知する短縮ダイヤルの課金システム、及び、その課金方法に関する。
【０００２】
【従来の技術】
下位装置から上位装置を用いて短縮ダイヤル発信する電話機が知られている。そのような上位と下位が通信しあう電話システムが、図６に示されるように知られている。その電話システムでは、下位装置１０１の外線制御ユニット１０２が、これと上位装置１０３の下位回線制御ユニット１０４との間の回線１０５を捕捉したとき、上位装置１０３の外線制御ユニット１０６が加入者回線１０７に直結するように予め上位装置１０３の下位回線制御ユニット１０４を設定したとき、又は、下位装置１０１の外線制御ユニット１０２が上位装置１０３の下位回線制御ユニット１０４との間の回線１０５を捕捉した後に、加入者回線直結用アクセスコードが上位装置１０３の下位回線制御ユニット１０４に送信されれば、上位装置１０３の外線制御ユニット１０６がその加入者回線１０７に直結するように予め上位装置１０３の下位回線制御ユニット１０４を設定したときに、下位装置１０１のボタン電話機１０８から加入者電話番号又は加入者回線直結用アクセスコードの加入者電話番号をダイヤルすることができる。
【０００３】
上位装置１０３の短縮ダイヤル番号テーブル１０９に登録されている短縮ダイヤル番号を下位装置１０１のボタン電話機１０８からダイヤルする際に、その短縮ダイヤル番号と加入者番号の対応を行うことは、特開平１−２７３４７５号で知られている。
【０００４】
短縮ダイヤル番号に対応する課金データが、下位装置１０１のボタン電話機１０８に通知されることが求められる。特に、短縮ダイヤル番号に対応する課金データを短縮ダイヤル番号を用いた呼び発信の際に下位側電話機群に通知してサービスの向上を図ることが求められる。
【０００５】
【発明が解決しようとする課題】
本発明の課題は、短縮ダイヤル番号に対応する課金データを下位側電話機群に通知することができる短縮ダイヤルの課金システム、及び、その課金方法を提供することにある。
本発明の他の課題は、短縮ダイヤル番号に対応する課金データを短縮ダイヤル番号を用いた呼び発信の際に下位側電話機群に通知することができる短縮ダイヤルの課金システム、及び、その課金方法を提供することにある。
【０００６】
【課題を解決するための手段】
その課題を解決するための手段が、下記のように表現される。その表現中に現れる技術的事項には、括弧（）つきで、番号、記号等が添記されている。その番号、記号等は、本発明の実施の複数・形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００７】
本発明による短縮ダイヤルの課金システムは、上位側電話装置（１）と、上位側電話装置（１）に上位下位間接続線（１０）を介して接続する下位側電話装置（２）とから構成されている。上位側電話装置（１）は、上位側電話機群（３）と、上位側システム制御装置（６）と、上位側システム制御装置（６）に接続する加入者番号課金テーブル（１１）と、上位側システム制御装置（６）に接続する短縮ダイヤル番号テーブル（１２）とを有している。加入者番号課金テーブル（１１）は、加入者番号と課金データの対応を有し、短縮ダイヤル番号テーブル（１２）は、加入者番号に対応する短縮ダイヤル番号を有している。下位側電話装置（２）は、下位側電話機群（１５）を備え、上位側システム制御装置（６）は、下位側電話機群（１５）により発信操作が行われる際に、下位側電話装置（２）から送信されてくる短縮ダイヤル番号（４１）に対応する加入者番号の課金データを加入者番号課金テーブル（１１）に基づいて下位側電話機群（１５）に送信する。
【０００８】
上位側システム制御装置（６）は、加入者番号課金テーブル（１１）と短縮ダイヤル番号テーブル（１２）の情報の対応関係を把握しているから、下位側電話機が呼び発信の際に用いるダイヤル短縮番号に基づいて課金データをその電話機に通知することができる。特には、呼び発信の直後にその課金データを呼び発信の電話機に通知することができる。
【０００９】
上位側電話装置（１）と下位側電話装置（２）との間の通信は、上位側電話装置（１）と下位側電話装置（２）との間の接続線の極性の切換により実行され、公知の上位下位電話機システムがそのままに利用され得る。
【００１０】
上位側電話装置（１）は、下位側電話装置（２）を制御する下位回線制御ユニット（４）を更に含んでいる。下位側電話装置（２）は、下位回線制御ユニット（４）に接続する下位側外線制御ユニット（１３）を更に含んでいる。下位回線制御ユニット（４）は、上位側システム制御装置（６）に接続する給電／ダイヤル検出ユニット（１７）と、上位側システム制御装置（６）に接続する番号通知ユニット（１９）とを含む。下位側外線制御ユニット（１３）は、給電／ダイヤル検出ユニット（１７）に上位下位間接続線（１０）を介して接続する回線捕捉／ダイヤル送出ユニット（２３）と、回線捕捉／ダイヤル送出ユニット（２３）に接続する番号通知検出ユニット（２５）とを含んでいる。回線捕捉／ダイヤル送出ユニット（２３）は、発呼時に、短縮ダイヤル番号信号（４１）を給電／ダイヤル検出ユニット（１７）に送出し、短縮ダイヤル番号信号（４１）を下位回線制御ユニット（４）を介して上位側システム制御装置（６）に送出する。上位側システム制御装置（６）は、短縮ダイヤル番号信号（４１）に対応する加入者番号（４２）に対応させて課金データを給電／ダイヤル検出ユニット（１７）と回線捕捉／ダイヤル送出ユニット（２３）を介して番号通知検出ユニット（２５）に送信する。上位側は、下位側で用いられる短縮ダイヤル番号信号（４１）を呼び発信時に捕捉し、課金データを上位側の番号通知検出ユニット（２５）を介して下位側に送信することができ、呼び発信時に即応して課金データの通知サービスを実行することができる。
【００１１】
下位側電話装置（２）は、下位側外線制御ユニット（１３）と下位側電話機群（１５）との間に介設される下位側システム制御装置（１６）を更に含んでいる。下位回線制御ユニット（４）は上位側通話路（１８）を更に含んでいる。下位側外線制御ユニット（１３）は下位側通話路（２４）を更に含んでいる。通話は、上位側システム制御装置（６）と下位側システム制御装置（１６）との間で、上位側通話路（１８）と給電／ダイヤル検出ユニット（１７）と上位下位間接続線（１０）と回線捕捉／ダイヤル送出ユニット（２３）と下位側通話路（２４）とを介して実行される。課金データの通知と併行して、公知装置と同様に通話を開始し続行することができる。
【００１２】
下位側電話装置（２）は、下位側システム制御装置（１６）に接続する料金蓄積ユニット（３１）と、上位装置短縮ダイヤル番号テーブル（１６）とを更に含んでいる。料金蓄積ユニット（３１）は、短縮ダイヤル番号に対応する課金データを蓄積し、課金情報を管理する。
【００１３】
本発明による短縮ダイヤルの課金方法は、下位側電話装置（２）から上位側電話装置（１）に短縮ダイヤル番号（４１）を用いて発信を行う第１ステップと、上位側電話装置（１）に上位下位間接続線（１０）を介して短縮ダイヤル番号（４１）を発信する第２ステップと、上位側電話装置（１）により短縮ダイヤル番号信号（４１）を加入者番号（４２）に変換する第３ステップと、上位側電話装置（１）により加入者にダイヤル発信して通話を成立させる第４ステップと、上位側電話装置（１）から下位側電話装置（２）に加入者番号に対応する課金データを加入者番号課金テーブル（１１）に基づいて送信する第５ステップとから構成されている。短縮ダイヤル番号を用いた呼び発信の際に、課金データを通知することが可能になり、公知のＮＴＴのサービスをより充実させることができる。
【００１４】
第５ステップは、加入者番号を下位側電話装置（２）に通知するステップを含む。上位側電話装置（１）と下位側電話装置（２）を接続する接続線（１０）を第１ステップに時間的に先行して第１極性状態にする第６ステップと、第４ステップで着信側が応答した際に第１極性状態を反転して接続線（１０）を第２極性状態に変更する第７ステップと、通話の終了後に第２極性状態を第１極性状態に反転する第８ステップと、第８ステップで反転された第１極性状態を第２極性状態に更に反転する第９ステップと、下位側電話装置（２）の側で接続線（１０）を捕捉して直流ループを形成することにより下位側電話装置（２）の側で上位側電話装置（１）に対して応答する第１０ステップとを更に含んでいる。第５ステップは、第１０ステップに時間的に後行して実行される。公知サービスを利用しながら本発明によるサービスを円滑に導入することができる。
【００１５】
第５ステップに時間的に後行して、第９ステップで反転された第２極性状態を更に第１極性状態に復極させる第１１ステップが追加されることが好ましい。
【００１６】
【発明の実施の形態】
図に対応して、本発明による短縮ダイヤルの課金システムの実施の形態は、上位側電話装置が下位側電話装置とともに設けられている。その上位側電話装置１は、図１に示されるように、下位側電話装置２に上位下位間接続線１０を介して双方向に接続している。
【００１７】
上位側電話装置１は、上位側電話機群３と、下位回線を制御する下位回線制御ユニット４と、上位側電話機群３を制御する上位側電話機制御器５とを備えている。上位側システム制御装置６は、下位回線制御ユニット４と上位側電話機制御器５とに接続していて、上位側電話装置１の内部データを統括して制御している。上位側システム制御装置６は、上位側外線制御ユニット７を介して加入者回線８に接続している。
【００１８】
上位側電話装置１は、更に、パソコンインタフェース９と、加入者番号課金テーブル１１と、短縮ダイヤル番号テーブル１２とを備えている。上位側システム制御装置６は、パソコンインタフェース９と加入者番号課金テーブル１１と短縮ダイヤル番号テーブル１２とに双方向に接続している。加入者番号課金テーブル１１は、パソコンのようなデータ通信機器を利用してパソコンインタフェース９から受信した課金データを格納しておく。短縮ダイヤル番号テーブル１２は、上位側電話機群３又は下位回線制御ユニット４を介して受信した短縮ダイヤル番号を管理している。
【００１９】
下位側電話装置２は、下位側外線制御ユニット１３と、下位側電話機制御器１４と、下位側電話機群１５とを備えている。下位側電話機制御器１４は、下位側電話機群１５を統括的に制御している。下位側システム制御装置１６は、下位側外線制御ユニット１３と下位側電話機制御器１４とに接続していて、下位側電話装置２の内部データを統括して制御している。上位側電話装置１は、上位側電話装置１の下位回線制御ユニット４と下位側電話装置２の下位側外線制御ユニット１３との接続により、下位側電話装置２に接続している。
【００２０】
このようなシステム環境のもとで、加入者番号課金テーブル１１と短縮ダイヤル番号テーブル１２とを上位側システム制御装置６に接続することにより、加入者番号と課金データとに対して短縮ダイヤル番号を関連づけ、加入者番号と短縮ダイヤル番号との対応関係、課金データと短縮ダイヤル番号との対応関係を確立することができる。
【００２１】
図２は、上位側電話装置１の下位回線制御ユニット４と下位側電話装置２の下位側外線制御ユニット１３との間の通信接続関係を示している。下位回線制御ユニット４は、給電／ダイヤル検出ユニット１７を備えている。給電／ダイヤル検出ユニット１７は、上位下位間接続線１０を介して下位側電話装置２に給電し、上位下位間接続線１０を介して下位側電話装置２からダイヤルを検出する。
【００２２】
下位回線制御ユニット４は、上位側通話路１８を備えている。上位側通話路１８は、給電／ダイヤル検出ユニット１７と上位側システム制御装置６との間で音声信号の送受信を実行する。下位回線制御ユニット４は、番号通知制御ユニット１９と、上位側モデム２１とを備えている。番号通知制御ユニット１９は、加入者番号・課金データ・短縮ダイヤル番号のダイヤル課金対応データ２２を制御的に下位側電話装置２に送信する。上位側モデム２１は、ダイヤル課金対応データ２２をモデム信号に変換し給電／ダイヤル検出ユニット１７を介して下位側電話装置２に送信する。
【００２３】
下位側電話装置２は、回線捕捉／ダイヤル送出ユニット２３を備えている。回線捕捉／ダイヤル送出ユニット２３は、上位下位間接続線１０を介して、給電／ダイヤル検出ユニット１７に双方向に接続している。回線捕捉／ダイヤル送出ユニット２３は、給電／ダイヤル検出ユニット１７から上位下位間接続線１０に送出される給電に対して直流ループを形成するとともに、給電／ダイヤル検出ユニット１７にダイヤルを送出する。下位側電話装置２は、更に、下位側通話路２４を備えている。
【００２４】
下位側通話路２４は、回線捕捉／ダイヤル送出ユニット２３と下位側システム制御装置１６との間で音声信号の送受信を実行する。下位側外線制御ユニット１３は、番号通知検出ユニット２５と、下位側モデム２６とを備えている。下位側モデム２６は、上位側電話装置１の給電／ダイヤル検出ユニット１７から送信されて来るダイヤル課金対応データ２２のモデム信号を変換して、ダイヤル課金対応データ２２を番号通知検出ユニット２５に送信する。番号通知検出ユニット２５は、変換されたダイヤル課金対応データ２２を検出する。
【００２５】
図３は、本発明による短縮ダイヤルの課金方法の実施の動作の形態を示している。下位側ユーザーが下位側電話機群１５をオフフックして、上位側電話装置１の短縮ダイヤル番号４１を用いて発信操作を行うと、下位側電話機群１５から発信される発信データは、下位側電話機制御器１４を介して下位側システム制御装置１６を通り、下位側外線制御ユニット１３の回線捕捉／ダイヤル送出ユニット２３に送られる。回線捕捉／ダイヤル送出ユニット２３は、下位回線制御ユニット４の給電／ダイヤル検出ユニット１７から供給される直流給電電流を検出し、直流ループを形成する（ステップＡ１）。
【００２６】
下位側電話機群１５で押下げられた短縮ダイヤル番号信号４１は、回線捕捉／ダイヤル送出ユニット２３から給電／ダイヤル検出ユニット１７に送出される（発呼のステップＡ２）。短縮ダイヤル番号信号４１は、下位回線制御ユニット４を介して上位側システム制御装置６に送出される。上位側システム制御装置６は、短縮ダイヤル番号信号４１を加入者番号４２に変換する。加入者番号４２は、上位側システム制御装置６から加入者にダイヤル発信される（ステップＡ３）。着信側が応答すれば、給電／ダイヤル検出ユニット１７は上位下位間接続線１０の極性を反転する（ステップＡ４）。
【００２７】
ステップＡ５の通話の後に、下位側外線制御ユニット１３が直流ループを開放すれば（ステップＡ６）、下位回線制御ユニット４は上位下位間接続線１０の極性を元の極性に復極する（ステップＡ７）。その復極の後に、上位側電話装置１の給電／ダイヤル検出ユニット１７は、下位側外線制御ユニット１３の回線捕捉／ダイヤル送出ユニット２３に接続している上位下位間接続線１０の極性を再び反転し（ステップＢ１）、ステップＢ２で、１６Ｈｚの呼出信号（起動信号）２８を下位側電話装置２に送出する。下位側電話装置２の下位側外線制御ユニット１３の回線捕捉／ダイヤル送出ユニット２３は、給電／ダイヤル検出ユニット１７に接続している回線１０を捕捉して直流ループを形成すれば、その捕捉対応直流ループの形成は、給電／ダイヤル検出ユニット１７に対する応答信号になる（ステップＢ３）。
【００２８】
次に、ステップＡ５の通話時間に対応して上位側電話装置１の加入者番号課金テーブル１１を参照して算出する課金データと、短縮ダイヤル番号テーブル１２に格納されている短縮ダイヤル番号と、加入者番号とから形成されるダイヤル課金対応データ２２が、上位側システム制御装置６と下位回線制御ユニット４の番号通知制御ユニット１９を通り、下位回線制御ユニット４の上位側モデム２１でモデム信号に変換され、給電／ダイヤル検出ユニット１７を経由して、下位側外線制御ユニット１３の回線捕捉／ダイヤル送出ユニット２３に通知され、更に、下位側外線制御ユニット１３の下位側モデム２６で再信号変換されて、番号通知検出ユニット２５で検出される（ステップＢ４）。
【００２９】
このように検出されたダイヤル課金対応データ２２は、上位下位間接続線１０が開放されれば（ステップＢ５）、下位回線制御ユニット４の給電／ダイヤル検出ユニット１７はモデム信号の受信を完了したと認識して、下位回線制御ユニット４の給電／ダイヤル検出ユニット１７が下位側外線制御ユニット１３の回線捕捉／ダイヤル送出ユニット２３に接続されている上位下位間接続線１０の極性を再復極する（ステップＢ６）。その再復極と同時に、下位側電話装置２の下位側システム制御装置１６の制御により、ダイヤル課金対応データ２２は下位側外線制御ユニット１３から出力されて、下位側電話機制御器１４を経由して下位側電話機群１５の表示部分に表示される。
【００３０】
図４は、本発明の発信者番号通知をＮＴＴの公知の発信者番号通知と比較するための公知のシーケンスを示している。ステップＢ１〜ステップＢ５は、ナンバーディスプレイ（発信者番号通知）の点で、本発明シーケンスと公知シーケンスとで同じである。公知シーケンスでは、ステップＢ５の次に、ステップＣ１で上位装置の給電／ダイヤル検出ユニット１７から１６Ｈｚの呼出信号が発生し、その呼出信号を下位装置の回線捕捉／ダイヤル送出ユニット２３が受信して、下位装置の下位側システム制御装置１６の制御により、下位側電話機制御器１４から下位側電話機群１５を鳴動するためのデータを送信することにより下位側電話機群１５を鳴動させ、その鳴動と同時に発信相手先の加入者番号を表示し、下位側電話機群１５の受話器を上げれば下位側外線制御ユニット１３の回線捕捉／ダイヤル送出ユニット２３が回線捕捉することにより、下位装置の回線捕捉／ダイヤル送出ユニット２３はその回線捕捉を二次信号として検出している（ステップＣ２）。
【００３１】
本発明では、ステップＡ２で発信動作があった場合、ステップＢ５で受信が完了すれば、次のステップＢ６で通信を完了していて、公知シーケンスのステップＣ１の呼出信号待ちの状態に移行することがなく、ステップＢ６の段階で課金データと、短縮ダイヤル番号と、加入者番号とが下位側電話機群１５の表示器に表示されている。このように、公知装置では着信時に番号通知がなされるが、本発明装置では、発信動作後に番号通知がなされる。
【００３２】
図５は、本発明による短縮ダイヤルの課金システムの実施の他の形態を示している。実施の本形態は、実施の既述の形態に対して、料金蓄積ユニット３１と、上位装置短縮ダイヤル番号テーブル３２とが追加されている。料金蓄積ユニット３１は、上位装置短縮ダイヤル番号テーブル３２とともに、下位側システム制御装置１６に接続している。料金蓄積ユニット３１は、課金データを蓄積する。料金蓄積ユニット３１と上位装置短縮ダイヤル番号テーブル３２とは、短縮ダイヤル番号と課金データとを対応させることができ、短縮ダイヤル番号ごとに課金データの履歴と累積とが表示され得る。実施の本形態は、上位側電話装置１に登録されている短縮番号ごとに料金を管理することができる。
【００３３】
詳細に述べられたように、加入者番号と短縮ダイヤル番号と課金データを対応づけるテーブルが上位装置に付加されているので、番号通知のシーケンスを利用して、短縮ダイヤル番号を用いた発呼のときに、上位装置が記録している加入者番号と短縮ダイヤル番号と課金データの対応を下位側の電話機に表示することができる。更に、アナログ電話機が通話で用いているアナログ回線を利用しているが、モデム信号を用いる通信を可能にしているから、上位装置が保有している加入者番号と短縮ダイヤル番号と課金データの対応情報を専用回線を新設しないで下位電話機に表示することができる。下位装置にそのような対応情報を記録するメモリが不要であり、専用のデータ回線用ハードウエアが不要である。
【００３４】
【発明の効果】
本発明による短縮ダイヤルの課金システム、及び、その課金方法は、短縮ダイヤル番号に対応する課金データを下位装置の電話機に通知することができ、特に、短縮ダイヤル番号に対応する課金データを短縮ダイヤル番号を用いた呼び発信の際に下位側電話機に通知してサービスの向上を図ることができる。
【図面の簡単な説明】
【図１】図１は、本発明による短縮ダイヤルの課金システムの実施の形態を示すシステムブロック図である。
【図２】図２は、図１の部分の詳細を示す回路ブロック図である。
【図３】図３は、本発明による短縮ダイヤルの課金方法の実施の形態を示すシーケンス図である。
【図４】図４は、公知方法を示すシーケンス図である。
【図５】図５は、本発明による短縮ダイヤルの課金システムの実施の他の形態を示すシステムブロック図である。
【図６】図６は、公知装置を示すシステムブロック図である。
【符号の説明】
１…上位側電話装置
２…下位側電話装置
３…上位側電話機群
４…下位回線制御ユニット
６…上位側システム制御装置
１０…上位下位間接続線
１１…加入者番号課金テーブル
１２…短縮ダイヤル番号テーブル
１３…下位側外線制御ユニット
１５…下位側電話機群
１６…下位側システム制御装置
１７…給電／ダイヤル検出ユニット
１９…番号通知ユニット
２３…回線捕捉／ダイヤル送出ユニット
２４…下位側通話路
２５…番号通知検出ユニット
４１…短縮ダイヤル番号
４２…加入者番号
【図１】
0003726049.tif 000002
【図２】
0003726049.tif 000003
【図３】
0003726049.tif 000004
【図４】
0003726049.tif 000005
【図５】
0003726049.tif 000006
【図６】
0003726049.tif 000007